(57)【要約】【課題】本発明は使い捨てマスクの販売装置を開示した。【解決手段】本発明は使い捨てマスクの販売装置を提供し、装置本体及び前記装置本体の中に設置される貯蔵チャンバを含み、前記貯蔵チャンバの中にはトレーがスライドできるように設けられ、前記トレーには複数の使い捨てマスクが置かれており、前記貯蔵チャンバの底壁には、頂部に凹溝が設けられる密封ドアがヒンジにより接続され、前記貯蔵チャンバの頂壁の中にはＵ形スライド溝が連通して設けられ、前記Ｕ形スライド溝の中にはＵ形スライダが設けられる；本発明の設備は操作が簡単で安全であり、マスクの販売を実現するとともに、マスクが売り切れになる時、カード挿入チャンバを閉鎖することができ、間違ってお金を引き落とし、使用者に面倒を掛けることを防止する。【選択図】図１
2020155080.tif 000002
【特許請求の範囲】
【請求項１】
装置本体及び前記装置本体の中に設置される貯蔵チャンバを含み、前記貯蔵チャンバの中にはトレーがスライドできるように設けられ、前記トレーには複数の使い捨てマスクが置かれており、前記貯蔵チャンバの底壁には、頂部に凹溝が設けられる密封ドアがヒンジにより接続され、前記貯蔵チャンバの頂壁の中にはＵ形スライド溝が連通して設けられ、前記Ｕ形スライド溝の中にはＵ形スライダが設けられ、前記Ｕ形スライダと前記Ｕ形スライド溝の頂壁との間には第一押圧ばねが設けられ、前記貯蔵チャンバの頂壁の中には伝動チャンバが設けられ、前記伝動チャンバの中には輸送装置が設けられ、前記貯蔵チャンバの底壁の中には第一スライド孔が設けられ、前記第一スライド孔の中には前記トレーと固定的に接続されるラックが設けられ、前記ラックと前記第一スライド孔の端壁との間には第一復帰装置が設けられ、前記第一スライド孔の右壁の中にはギヤチャンバが設けられ、前記ギヤチャンバの中には閉鎖装置が設けられ、前記装置本体の右壁の中にはマスク取りチャンバが設けられ、前記マスク取りチャンバと前記貯蔵チャンバとの間には連通孔が設けられ、前記マスク取りチャンバの頂壁の中には回転チャンバが設けられ、前記回転チャンバの中には第一回転軸が回転できるように設けられ、前記第一回転軸の外面にはウォームホイール及び活動ドアが固定され、前記回転チャンバの中には前記ウォームホイールと噛み合うウォームが回転できるように設けられ、前記ウォームが前記回転チャンバの左壁の中に固定的に接続されるモータと動力が伝達できるように接続され、前記マスク取りチャンバの底壁の中には外部に連通するカード挿入チャンバが設けられ、前記カード挿入チャンバの中には引き落とし装置が設けられ、前記輸送装置と、前記閉鎖装置と、前記引き落とし装置とを合わせて使用してマスク販売を実現することを特徴とする使い捨てマスクの販売装置。
【請求項２】
前記輸送装置は、前記伝動チャンバの中に回転できるように設置される第二回転軸を含み、前記第二回転軸の外面には前後対称の摩擦輪及び前後二つの前記摩擦輪の間に位置する第一ベベルギヤが固定的に装着され、前記伝動チャンバと前記回転チャンバとの間にはラチェットギヤチャンバが設けられ、前記ラチェットギヤチャンバと前記伝動チャンバとの間には第三回転軸が回転できるように設けられ、前記伝動チャンバの中の前記第三回転軸の末端には前記第一ベベルギヤと噛み合う第二ベベルギヤが固定され、前記ラチェットギヤチャンバの中の前記第三回転軸の末端には第一ラチェット歯止め溝が固定的に装着され、前記モータの出力軸が左へ前記ラチェットギヤチャンバの中に伸びている末端には前記第一ラチェット歯止め溝と係合される第一ラチェットギヤが固定的に装着され、前記摩擦輪が回転して前記マスクを設備の外に送り出すことを特徴とする請求項１に記載の使い捨てマスクの販売装置。
【請求項３】
前記閉鎖装置は、前記ギヤチャンバの中に回転できるように設置される第四回転軸を含み、前記第四回転軸の外面には、前記ラックと噛み合うギヤと、前記ギヤの前側に位置する第一プーリとが固定され、前記ギヤチャンバの右壁内にはカムチャンバが設けられ、前記カムチャンバと前記ギヤチャンバとの間にはベルトチャンバが連通して設けられ、前記カムチャンバの後壁内には第五回転軸が回転できるように設けられ、前記第五回転軸と前記カムチャンバの端壁との間には捻りばねが弾性的に設けられ、前記第五回転軸の外面には第二プーリと、前記第二プーリの前側に位置する第二ラチェットギヤとが固定され、前記第二プーリと前記第一プーリとの間がベルトにより伝動できるように係合接続され、前記カムチャンバの後壁の中には第六回転軸が回転できるように設けられ、前記第六回転軸の外面には、前記第二ラチェットギヤと係合される第二ラチェット歯止め溝と、前記第二ラチェット歯止め溝の前側に位置するカムとが固定され、前記カムチャンバと前記カード挿入チャンバとの間には第二スライド孔が連通して設けられ、前記第二スライド孔の中には阻み板がスライドできるように設けられ、前記阻み板と前記第二スライド孔の端壁との間には第二復帰装置が弾性的に設けられ、前記カムが回転して前記阻み板を連動させて上へ移動させて前記カード挿入チャンバを閉鎖することを特徴とする請求項１に記載の使い捨てマスクの販売装置。
【請求項４】
前記引き落とし装置は前記カード挿入チャンバの左壁の中に設置される第三スライド孔を含み、前記第三スライド孔の中には第一スライドロッドがスライドできるように設けられ、前記第一スライドロッドと前記第三スライド孔の端壁との間には第三復帰装置が弾性的に設けられ、前記第一スライドロッドの頂壁内にはロック溝が設けられ、前記第三スライド孔と前記マスク取りチャンバとの間には第四スライド孔が連通して設けられ、前記第四スライド孔の中には、第二スライドロッドと、前記第二スライドロッドの下方に位置するロックロッドとがスライドできるように設けられ、前記ロックロッドと前記第二スライドロッドとの間には第二押圧ばねが弾性的に設けられ、前記第二スライドロッドと前記第四スライド孔の端壁との間には第四復帰装置が弾性的に設けられ、前記カード挿入チャンバの頂壁内には識別モジュールが設けられ、前記識別モジュールが識別してお金を引き落とし、設備が費用を徴収することを実現することを特徴とする請求項１に記載の使い捨てマスクの販売装置。
【発明の詳細な説明】
【技術分野】
【０００１】
本発明は自動販売機分野を取り上げて、具体的には使い捨てマスクの販売装置である。
【背景技術】
【０００２】
人が空気の質に対する要求が高まるにつれて、使い捨てマスクの使用がますます頻繁になり、特に駅、病院などの公共の場では、人々がマスクに対する需要量がますます大きくなり、そのため、使い捨てマスクを自動販売できる設備を提供し、上記の問題を解決することが必要である。
【先行技術文献】
【特許文献】
【０００３】
【特許文献１】中国特許出願公開第１０４２１７４９５号明細書
【発明の概要】
【発明が解決しようとする課題】
【０００４】
本発明は使い捨てマスクの販売装置を提供し、従来技術における上記欠点を解消し、設備の実用性を高めることを目的とする。
【課題を解決するための手段】
【０００５】
本発明の使い捨てマスクの販売装置は、装置本体及び前記装置本体の中に設置される貯蔵チャンバを含み、前記貯蔵チャンバの中にはトレーがスライドできるように設けられ、前記トレーには複数の使い捨てマスクが置かれており、前記貯蔵チャンバの底壁には、頂部に凹溝が設けられる密封ドアがヒンジにより接続され、前記貯蔵チャンバの頂壁の中にはＵ形スライド溝が連通して設けられ、前記Ｕ形スライド溝の中にはＵ形スライダが設けられ、前記Ｕ形スライダと前記Ｕ形スライド溝の頂壁との間には第一押圧ばねが設けられ、前記貯蔵チャンバの頂壁の中には伝動チャンバが設けられ、前記伝動チャンバの中には輸送装置が設けられ、前記貯蔵チャンバの底壁の中には第一スライド孔が設けられ、前記第一スライド孔の中には前記トレーと固定的に接続されるラックが設けられ、前記ラックと前記第一スライド孔の端壁との間には第一復帰装置が設けられ、前記第一スライド孔の右壁の中にはギヤチャンバが設けられ、前記ギヤチャンバの中には閉鎖装置が設けられ、前記装置本体の右壁の中にはマスク取りチャンバが設けられ、前記マスク取りチャンバと前記貯蔵チャンバとの間には連通孔が設けられ、前記マスク取りチャンバの頂壁の中には回転チャンバが設けられ、前記回転チャンバの中には第一回転軸が回転できるように設けられ、前記第一回転軸の外面にはウォームホイール及び活動ドアが固定され、前記回転チャンバの中には前記ウォームホイールと噛み合うウォームが回転できるように設けられ、前記ウォームが前記回転チャンバの左壁の中に固定的に接続されるモータと動力が伝達できるように接続され、前記マスク取りチャンバの底壁の中には外部に連通するカード挿入チャンバが設けられ、前記カード挿入チャンバの中には引き落とし装置が設けられ、前記輸送装置と、前記閉鎖装置と、前記引き落とし装置とを合わせて使用してマスク販売を実現する。
【０００６】
好ましくは、前記輸送装置は、前記伝動チャンバの中に回転できるように設置される第二回転軸を含み、前記第二回転軸の外面には前後対称の摩擦輪及び前後二つの前記摩擦輪の間に位置する第一ベベルギヤが固定的に装着され、前記伝動チャンバと前記回転チャンバとの間にはラチェットギヤチャンバが設けられ、前記ラチェットギヤチャンバと前記伝動チャンバとの間には第三回転軸が回転できるように設けられ、前記伝動チャンバの中の前記第三回転軸の末端には前記第一ベベルギヤと噛み合う第二ベベルギヤが固定され、前記ラチェットギヤチャンバの中の前記第三回転軸の末端には第一ラチェット歯止め溝が固定的に装着され、前記モータの出力軸が左へ前記ラチェットギヤチャンバの中に伸びている末端には前記第一ラチェット歯止め溝と係合される第一ラチェットギヤが固定的に装着され、前記摩擦輪が回転して前記マスクを設備の外に送り出す。
【０００７】
好ましくは、前記閉鎖装置は、前記ギヤチャンバの中に回転できるように設置される第四回転軸を含み、前記第四回転軸の外面には、前記ラックと噛み合うギヤと、前記ギヤの前側に位置する第一プーリとが固定され、前記ギヤチャンバの右壁内にはカムチャンバが設けられ、前記カムチャンバと前記ギヤチャンバとの間にはベルトチャンバが連通して設けられ、前記カムチャンバの後壁内には第五回転軸が回転できるように設けられ、前記第五回転軸と前記カムチャンバの端壁との間には捻りばねが弾性的に設けられ、前記第五回転軸の外面には第二プーリと、前記第二プーリの前側に位置する第二ラチェットギヤとが固定され、前記第二プーリと前記第一プーリとの間がベルトにより伝動できるように係合接続され、前記カムチャンバの後壁の中には第六回転軸が回転できるように設けられ、前記第六回転軸の外面には、前記第二ラチェットギヤと係合される第二ラチェット歯止め溝と、前記第二ラチェット歯止め溝の前側に位置するカムとが固定され、前記カムチャンバと前記カード挿入チャンバとの間には第二スライド孔が連通して設けられ、前記第二スライド孔の中には阻み板がスライドできるように設けられ、前記阻み板と前記第二スライド孔の端壁との間には第二復帰装置が弾性的に設けられ、前記カムが回転して前記阻み板を連動させて上へ移動させて前記カード挿入チャンバを閉鎖する。
【０００８】
好ましくは、前記引き落とし装置は前記カード挿入チャンバの左壁の中に設置される第三スライド孔を含み、前記第三スライド孔の中には第一スライドロッドがスライドできるように設けられ、前記第一スライドロッドと前記第三スライド孔の端壁との間には第三復帰装置が弾性的に設けられ、前記第一スライドロッドの頂壁内にはロック溝が設けられ、前記第三スライド孔と前記マスク取りチャンバとの間には第四スライド孔が連通して設けられ、前記第四スライド孔の中には、第二スライドロッドと、前記第二スライドロッドの下方に位置するロックロッドとがスライドできるように設けられ、前記ロックロッドと前記第二スライドロッドとの間には第二押圧ばねが弾性的に設けられ、前記第二スライドロッドと前記第四スライド孔の端壁との間には第四復帰装置が弾性的に設けられ、前記カード挿入チャンバの頂壁内には識別モジュールが設けられ、前記識別モジュールが識別してお金を引き落とし、設備が費用を徴収することを実現する。
【発明の効果】
【０００９】
本発明の有益効果は：本発明の設備は操作が簡単で安全であり、マスクの販売を実現するとともに、マスクが売り切れになる時、カード挿入チャンバを閉鎖することができ、間違ってお金を引き落とし、使用者に面倒を掛けることを防止する。
【図面の簡単な説明】
【００１０】
本発明の実施例または従来技術における技術プランをもっとはっきり説明するために、以下は実施例または従来技術を説明する時に必要な付図を簡単に紹介する。一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の使い捨てマスクの販売装置の全体構成模式図である；
【図２】図２は図１の中のＡ−Ａの構成模式図である。
【図３】図３は図１の中のＢの拡大構成模式図である。
【図４】図４は図１の中のＣの拡大構成模式図である。
【図５】図５は図１の中のＤ−Ｄの構成模式図である。
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
以下に図１〜５を交えて本発明について詳しく説明する。便利に叙述するために、現在は後文に出る方位を下記の通りに規定する：後文に出る上下左右前後方向は図１本体の投影関係の上下左右前後方向と一致する。
【００１４】
図１〜５を参照し、本発明の使い捨てマスクの販売装置は、装置本体１０及び前記装置本体１０の中に設置される貯蔵チャンバ５２を含み、前記貯蔵チャンバ５２の中にはトレー４９がスライドできるように設けられ、前記トレー４９には複数の使い捨てマスク５１が置かれており、前記貯蔵チャンバ５２の底壁には、頂部に凹溝５５が設けられる密封ドア５０がヒンジにより接続され、前記貯蔵チャンバ５２の頂壁の中にはＵ形スライド溝５８が連通して設けられ、前記Ｕ形スライド溝５８の中にはＵ形スライダ５６が設けられ、前記Ｕ形スライダ５６と前記Ｕ形スライド溝５８の頂壁との間には第一押圧ばね５７が設けられ、前記貯蔵チャンバ５２の頂壁の中には伝動チャンバ１４が設けられ、前記伝動チャンバ１４の中には輸送装置２００が設けられ、前記貯蔵チャンバ５２の底壁の中には第一スライド孔４４が設けられ、前記第一スライド孔４４の中には前記トレー４９と固定的に接続されるラック４２が設けられ、前記ラック４２と前記第一スライド孔４４の端壁との間には第一復帰装置４３が設けられ、前記第一スライド孔４４の右壁の中にはギヤチャンバ４５が設けられ、前記ギヤチャンバ４５の中には閉鎖装置３００が設けられ、前記装置本体１０の右壁の中にはマスク取りチャンバ２３が設けられ、前記マスク取りチャンバ２３と前記貯蔵チャンバ５２との間には連通孔５３が設けられ、前記マスク取りチャンバ２３の頂壁の中には回転チャンバ１９が設けられ、前記回転チャンバ１９の中には第一回転軸２２が回転できるように設けられ、前記第一回転軸２２の外面にはウォームホイール２１及び活動ドア２４が固定され、前記回転チャンバ１９の中には前記ウォームホイール２１と噛み合うウォーム２０が回転できるように設けられ、前記ウォーム２０が前記回転チャンバ１９の左壁の中に固定的に接続されるモータ１８と動力が伝達できるように接続され、前記マスク取りチャンバ２３の底壁の中には外部に連通するカード挿入チャンバ３２が設けられ、前記カード挿入チャンバ３２の中には引き落とし装置４００が設けられ、前記輸送装置２００と、前記閉鎖装置３００と、前記引き落とし装置４００とを合わせて使用してマスク販売を実現する。
【００１５】
有益的には、前記輸送装置２００は、前記伝動チャンバ１４の中に回転できるように設置される第二回転軸１２を含み、前記第二回転軸１２の外面には前後対称の摩擦輪５４及び前後二つの前記摩擦輪５４の間に位置する第一ベベルギヤ１１が固定的に装着され、前記伝動チャンバ１４と前記回転チャンバ１９との間にはラチェットギヤチャンバ６４が設けられ、前記ラチェットギヤチャンバ６４と前記伝動チャンバ１４との間には第三回転軸１５が回転できるように設けられ、前記伝動チャンバ１４の中の前記第三回転軸１５の末端には前記第一ベベルギヤ１１と噛み合う第二ベベルギヤ１３が固定され、前記ラチェットギヤチャンバ６４の中の前記第三回転軸１５の末端には第一ラチェット歯止め溝１６が固定的に装着され、前記モータ１８の出力軸が左へ前記ラチェットギヤチャンバ６４の中に伸びている末端には前記第一ラチェット歯止め溝１６と係合される第一ラチェットギヤ１７が固定的に装着され、前記摩擦輪５４が回転して前記マスクを設備の外に送り出す。
【００１６】
有益的には、前記閉鎖装置３００は、前記ギヤチャンバ４５の中に回転できるように設置される第四回転軸４８を含み、前記第四回転軸４８の外面には、前記ラック４２と噛み合うギヤ４６と、前記ギヤ４６の前側に位置する第一プーリ４７とが固定され、前記ギヤチャンバ４５の右壁内にはカムチャンバ３８が設けられ、前記カムチャンバ３８と前記ギヤチャンバ４５との間にはベルトチャンバ４１が連通して設けられ、前記カムチャンバ３８の後壁内には第五回転軸６０が回転できるように設けられ、前記第五回転軸６０と前記カムチャンバ３８の端壁との間には捻りばね５９が弾性的に設けられ、前記第五回転軸６０の外面には第二プーリ６５と、前記第二プーリ６５の前側に位置する第二ラチェットギヤ６１とが固定され、前記第二プーリ６５と前記第一プーリ４７との間がベルト４０により伝動できるように係合接続され、前記カムチャンバ３８の後壁の中には第六回転軸６３が回転できるように設けられ、前記第六回転軸６３の外面には、前記第二ラチェットギヤ６１と係合される第二ラチェット歯止め溝６２と、前記第二ラチェット歯止め溝６２の前側に位置するカム３９とが固定され、前記カムチャンバ３８と前記カード挿入チャンバ３２との間には第二スライド孔３６が連通して設けられ、前記第二スライド孔３６の中には阻み板３７がスライドできるように設けられ、前記阻み板３７と前記第二スライド孔３６の端壁との間には第二復帰装置３５が弾性的に設けられ、前記カム３９が回転して前記阻み板３７を連動させて上へ移動させて前記カード挿入チャンバ３２を閉鎖する。
【００１７】
有益的には、前記引き落とし装置４００は前記カード挿入チャンバ３２の左壁の中に設置される第三スライド孔３０を含み、前記第三スライド孔３０の中には第一スライドロッド３４がスライドできるように設けられ、前記第一スライドロッド３４と前記第三スライド孔３０の端壁との間には第三復帰装置６６が弾性的に設けられ、前記第一スライドロッド３４の頂壁内にはロック溝３１が設けられ、前記第三スライド孔３０と前記マスク取りチャンバ２３との間には第四スライド孔２６が連通して設けられ、前記第四スライド孔２６の中には、第二スライドロッド２５と、前記第二スライドロッド２５の下方に位置するロックロッド２９とがスライドできるように設けられ、前記ロックロッド２９と前記第二スライドロッド２５との間には第二押圧ばね２８が弾性的に設けられ、前記第二スライドロッド２５と前記第四スライド孔２６の端壁との間には第四復帰装置２７が弾性的に設けられ、前記カード挿入チャンバ３２の頂壁内には識別モジュール３３が設けられ、前記識別モジュール３３が識別してお金を引き落とし、設備が費用を徴収することを実現する。
【００１８】
以下、出願人は付図１〜５及び上記の本出願の使い捨てマスクの販売装置の具体的な構成を参照してその使用方法を詳しく紹介する：
【００１９】
使用する時、プリペイドカードをカード挿入チャンバ３２の中に挿入し、第一スライドロッド３４を左へ移動させ、ロックロッド２９をロック溝３１の中に挿入し、これにより第一スライドロッド３４が引っ掛かり、識別モジュール３３がプリペイドカードを識別してお金を引き落とし、同時にモータ１８を触発して回転させ、これにより第一ラチェットギヤ１７と、第一ラチェット歯止め溝１６と、第二ベベルギヤ１３と、第一ベベルギヤ１１と、摩擦輪５４とを連動させて順に回転させ、使い捨てマスク５１をマスク取りチャンバ２３に入らせ、同時にモータ１８がウォーム２０を連動させて回転させ、ウォームホイール２１を連動させて回転させ、活動ドア２４を開け、活動ドア２４が開いた後、第二スライドロッド２５が上へ移動し、ロックロッド２９を上へ移動させてロック溝３１から出させ、この時、第一スライドロッド３４が第三復帰装置６６の作用のもとで右へ移動してプリペイドカードを弾き出し、プリペイドカード及び使い捨てマスク５１を取り出すことに便利を与え、モータ１８を始動して逆方向へ回転させてウォーム２０を連動させて逆方向へ回転させ、これにより活動ドア２４を連動させて閉まらせ、これにより第二スライドロッド２５を押圧して下へ移動させ、マスクが売り切れになる時、トレー４９が上へ移動してＵ形スライダ５６と当接し、Ｕ形スライダ５６が凹溝５５から出され、密封ドア５０を開けることに便利を与え、ラック４２が上へ移動してギヤ４６を連動させて回転させ、これにより第一プーリ４７と、第二プーリ６５と、第二ラチェットギヤ６１とを連動させて回転させ、捻りばね５９を連動させて弾力を蓄え、第二ラチェットギヤ６１が正方向に回転する時に第二ラチェット歯止め溝６２を連動させて回転させることができなく、ラック４２が上へ移動してギヤ４６から離脱する時、捻りばね５９の弾性エネルギーが放出されて第二ラチェットギヤ６１を連動させて逆方向へ回転させ、第二ラチェット歯止め溝６２を連動させて回転させ、これによりカム３９を回転させ、これにより阻み板３７が上へ移動してカード挿入チャンバ３２を閉鎖し、この時、設備の中にマスクがないため、設備が使用を一時停止し、この時、マスクを補充し、これによりラック４２を下へ移動させてカム３９を連動させて復帰させ、カード挿入チャンバ３２を開け、マスクの販売に便利である。
【００２０】
上記の詳しい分析から分かることは：本発明の設備は操作が簡単で安全であり、マスクの販売を実現するとともに、マスクが売り切れになる時、カード挿入チャンバを閉鎖することができ、間違ってお金を引き落とし、使用者に面倒を掛けることを防止する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020155080.tif 000003
【図２】
2020155080.tif 000004
【図３】
2020155080.tif 000005
【図４】
2020155080.tif 000006
【図５】
2020155080.tif 000007
【手続補正書】
【提出日】令和1年11月4日(2019.11.4)
【手続補正１】
【補正対象書類名】特許請求の範囲
【補正対象項目名】全文
【補正方法】変更
【補正の内容】
【特許請求の範囲】
【請求項１】
装置本体及び前記装置本体の中に設置される貯蔵チャンバを含み、前記貯蔵チャンバの中にはトレーがスライドできるように設けられ、前記トレーには複数の使い捨てマスクが置かれており、前記貯蔵チャンバの底壁には、頂部に凹溝が設けられる密封ドアがヒンジにより接続され、前記貯蔵チャンバの頂壁の中にはＵ形スライド溝が連通して設けられ、前記Ｕ形スライド溝の中にはＵ形スライダが設けられ、前記Ｕ形スライダと前記Ｕ形スライド溝の頂壁との間には第一押圧ばねが設けられ、前記貯蔵チャンバの頂壁の中には伝動チャンバが設けられ、前記伝動チャンバの中には輸送装置が設けられ、前記貯蔵チャンバの底壁の中には第一スライド孔が設けられ、前記第一スライド孔の中には前記トレーと固定的に接続されるラックが設けられ、前記ラックと前記第一スライド孔の端壁との間には第一復帰ばねが設けられ、前記第一スライド孔の右壁の中にはギヤチャンバが設けられ、前記ギヤチャンバの中には閉鎖装置が設けられ、前記装置本体の右壁の中にはマスク取りチャンバが設けられ、前記マスク取りチャンバと前記貯蔵チャンバとの間には連通孔が設けられ、前記マスク取りチャンバの頂壁の中には回転チャンバが設けられ、前記回転チャンバの中には第一回転軸が回転できるように設けられ、前記第一回転軸の外面にはウォームホイール及び活動ドアが固定され、前記回転チャンバの中には前記ウォームホイールと噛み合うウォームが回転できるように設けられ、前記ウォームが前記回転チャンバの左壁の中に固定的に接続されるモータと動力が伝達できるように接続され、前記マスク取りチャンバの底壁の中には外部に連通するカード挿入チャンバが設けられ、前記カード挿入チャンバの中には引き落とし装置が設けられ、前記輸送装置と、前記閉鎖装置と、前記引き落とし装置とを合わせて使用してマスク販売を実現することを特徴とする使い捨てマスクの販売装置。
【請求項２】
前記輸送装置は、前記伝動チャンバの中に回転できるように設置される第二回転軸を含み、前記第二回転軸の外面には前後対称の摩擦輪及び前後二つの前記摩擦輪の間に位置する第一ベベルギヤが固定的に装着され、前記伝動チャンバと前記回転チャンバとの間にはラチェットギヤチャンバが設けられ、前記ラチェットギヤチャンバと前記伝動チャンバとの間には第三回転軸が回転できるように設けられ、前記伝動チャンバの中の前記第三回転軸の末端には前記第一ベベルギヤと噛み合う第二ベベルギヤが固定され、前記ラチェットギヤチャンバの中の前記第三回転軸の末端には第一ラチェット歯止め溝が固定的に装着され、前記モータの出力軸が左へ前記ラチェットギヤチャンバの中に伸びている末端には前記第一ラチェット歯止め溝と係合される第一ラチェットギヤが固定的に装着され、前記摩擦輪が回転して前記マスクを設備の外に送り出すことを特徴とする請求項１に記載の使い捨てマスクの販売装置。
【請求項３】
前記閉鎖装置は、前記ギヤチャンバの中に回転できるように設置される第四回転軸を含み、前記第四回転軸の外面には、前記ラックと噛み合うギヤと、前記ギヤの前側に位置する第一プーリとが固定され、前記ギヤチャンバの右壁内にはカムチャンバが設けられ、前記カムチャンバと前記ギヤチャンバとの間にはベルトチャンバが連通して設けられ、前記カムチャンバの後壁内には第五回転軸が回転できるように設けられ、前記第五回転軸と前記カムチャンバの端壁との間には捻りばねが弾性的に設けられ、前記第五回転軸の外面には第二プーリと、前記第二プーリの前側に位置する第二ラチェットギヤとが固定され、前記第二プーリと前記第一プーリとの間がベルトにより伝動できるように係合接続され、前記カムチャンバの後壁の中には第六回転軸が回転できるように設けられ、前記第六回転軸の外面には、前記第二ラチェットギヤと係合される第二ラチェット歯止め溝と、前記第二ラチェット歯止め溝の前側に位置するカムとが固定され、前記カムチャンバと前記カード挿入チャンバとの間には第二スライド孔が連通して設けられ、前記第二スライド孔の中には阻み板がスライドできるように設けられ、前記阻み板と前記第二スライド孔の端壁との間には第二復帰ばねが弾性的に設けられ、前記カムが回転して前記阻み板を連動させて上へ移動させて前記カード挿入チャンバを閉鎖することを特徴とする請求項１に記載の使い捨てマスクの販売装置。
【請求項４】
前記引き落とし装置は前記カード挿入チャンバの左壁の中に設置される第三スライド孔を含み、前記第三スライド孔の中には第一スライドロッドがスライドできるように設けられ、前記第一スライドロッドと前記第三スライド孔の端壁との間には第三復帰ばねが弾性的に設けられ、前記第一スライドロッドの頂壁内にはロック溝が設けられ、前記第三スライド孔と前記マスク取りチャンバとの間には第四スライド孔が連通して設けられ、前記第四スライド孔の中には、第二スライドロッドと、前記第二スライドロッドの下方に位置するロックロッドとがスライドできるように設けられ、前記ロックロッドと前記第二スライドロッドとの間には第二押圧ばねが弾性的に設けられ、前記第二スライドロッドと前記第四スライド孔の端壁との間には第四復帰ばねが弾性的に設けられ、前記カード挿入チャンバの頂壁内には識別モジュールが設けられ、前記識別モジュールが識別してお金を引き落とし、設備が費用を徴収することを実現することを特徴とする請求項１に記載の使い捨てマスクの販売装置。
【手続補正２】
【補正対象書類名】明細書
【補正対象項目名】全文
【補正方法】変更
【補正の内容】
【発明の詳細な説明】
【技術分野】
【０００１】
本発明は自動販売機分野を取り上げて、具体的には使い捨てマスクの販売装置である。
【背景技術】
【０００２】
人が空気の質に対する要求が高まるにつれて、使い捨てマスクの使用がますます頻繁になり、特に駅、病院などの公共の場では、人々がマスクに対する需要量がますます大きくなり、そのため、使い捨てマスクを自動販売できる設備を提供し、上記の問題を解決することが必要である。
【先行技術文献】
【特許文献】
【０００３】
【特許文献１】中国特許出願公開第１０４２１７４９５号明細書
【発明の概要】
【発明が解決しようとする課題】
【０００４】
本発明は使い捨てマスクの販売装置を提供し、従来技術における上記欠点を解消し、設備の実用性を高めることを目的とする。
【課題を解決するための手段】
【０００５】
本発明の使い捨てマスクの販売装置は、装置本体及び前記装置本体の中に設置される貯蔵チャンバを含み、前記貯蔵チャンバの中にはトレーがスライドできるように設けられ、前記トレーには複数の使い捨てマスクが置かれており、前記貯蔵チャンバの底壁には、頂部に凹溝が設けられる密封ドアがヒンジにより接続され、前記貯蔵チャンバの頂壁の中にはＵ形スライド溝が連通して設けられ、前記Ｕ形スライド溝の中にはＵ形スライダが設けられ、前記Ｕ形スライダと前記Ｕ形スライド溝の頂壁との間には第一押圧ばねが設けられ、前記貯蔵チャンバの頂壁の中には伝動チャンバが設けられ、前記伝動チャンバの中には輸送装置が設けられ、前記貯蔵チャンバの底壁の中には第一スライド孔が設けられ、前記第一スライド孔の中には前記トレーと固定的に接続されるラックが設けられ、前記ラックと前記第一スライド孔の端壁との間には第一復帰ばねが設けられ、前記第一スライド孔の右壁の中にはギヤチャンバが設けられ、前記ギヤチャンバの中には閉鎖装置が設けられ、前記装置本体の右壁の中にはマスク取りチャンバが設けられ、前記マスク取りチャンバと前記貯蔵チャンバとの間には連通孔が設けられ、前記マスク取りチャンバの頂壁の中には回転チャンバが設けられ、前記回転チャンバの中には第一回転軸が回転できるように設けられ、前記第一回転軸の外面にはウォームホイール及び活動ドアが固定され、前記回転チャンバの中には前記ウォームホイールと噛み合うウォームが回転できるように設けられ、前記ウォームが前記回転チャンバの左壁の中に固定的に接続されるモータと動力が伝達できるように接続され、前記マスク取りチャンバの底壁の中には外部に連通するカード挿入チャンバが設けられ、前記カード挿入チャンバの中には引き落とし装置が設けられ、前記輸送装置と、前記閉鎖装置と、前記引き落とし装置とを合わせて使用してマスク販売を実現する。
【０００６】
好ましくは、前記輸送装置は、前記伝動チャンバの中に回転できるように設置される第二回転軸を含み、前記第二回転軸の外面には前後対称の摩擦輪及び前後二つの前記摩擦輪の間に位置する第一ベベルギヤが固定的に装着され、前記伝動チャンバと前記回転チャンバとの間にはラチェットギヤチャンバが設けられ、前記ラチェットギヤチャンバと前記伝動チャンバとの間には第三回転軸が回転できるように設けられ、前記伝動チャンバの中の前記第三回転軸の末端には前記第一ベベルギヤと噛み合う第二ベベルギヤが固定され、前記ラチェットギヤチャンバの中の前記第三回転軸の末端には第一ラチェット歯止め溝が固定的に装着され、前記モータの出力軸が左へ前記ラチェットギヤチャンバの中に伸びている末端には前記第一ラチェット歯止め溝と係合される第一ラチェットギヤが固定的に装着され、前記摩擦輪が回転して前記マスクを設備の外に送り出す。
【０００７】
好ましくは、前記閉鎖装置は、前記ギヤチャンバの中に回転できるように設置される第四回転軸を含み、前記第四回転軸の外面には、前記ラックと噛み合うギヤと、前記ギヤの前側に位置する第一プーリとが固定され、前記ギヤチャンバの右壁内にはカムチャンバが設けられ、前記カムチャンバと前記ギヤチャンバとの間にはベルトチャンバが連通して設けられ、前記カムチャンバの後壁内には第五回転軸が回転できるように設けられ、前記第五回転軸と前記カムチャンバの端壁との間には捻りばねが弾性的に設けられ、前記第五回転軸の外面には第二プーリと、前記第二プーリの前側に位置する第二ラチェットギヤとが固定され、前記第二プーリと前記第一プーリとの間がベルトにより伝動できるように係合接続され、前記カムチャンバの後壁の中には第六回転軸が回転できるように設けられ、前記第六回転軸の外面には、前記第二ラチェットギヤと係合される第二ラチェット歯止め溝と、前記第二ラチェット歯止め溝の前側に位置するカムとが固定され、前記カムチャンバと前記カード挿入チャンバとの間には第二スライド孔が連通して設けられ、前記第二スライド孔の中には阻み板がスライドできるように設けられ、前記阻み板と前記第二スライド孔の端壁との間には第二復帰ばねが弾性的に設けられ、前記カムが回転して前記阻み板を連動させて上へ移動させて前記カード挿入チャンバを閉鎖する。
【０００８】
好ましくは、前記引き落とし装置は前記カード挿入チャンバの左壁の中に設置される第三スライド孔を含み、前記第三スライド孔の中には第一スライドロッドがスライドできるように設けられ、前記第一スライドロッドと前記第三スライド孔の端壁との間には第三復帰ばねが弾性的に設けられ、前記第一スライドロッドの頂壁内にはロック溝が設けられ、前記第三スライド孔と前記マスク取りチャンバとの間には第四スライド孔が連通して設けられ、前記第四スライド孔の中には、第二スライドロッドと、前記第二スライドロッドの下方に位置するロックロッドとがスライドできるように設けられ、前記ロックロッドと前記第二スライドロッドとの間には第二押圧ばねが弾性的に設けられ、前記第二スライドロッドと前記第四スライド孔の端壁との間には第四復帰ばねが弾性的に設けられ、前記カード挿入チャンバの頂壁内には識別モジュールが設けられ、前記識別モジュールが識別してお金を引き落とし、設備が費用を徴収することを実現する。
【発明の効果】
【０００９】
本発明の有益効果は：本発明の設備は操作が簡単で安全であり、マスクの販売を実現するとともに、マスクが売り切れになる時、カード挿入チャンバを閉鎖することができ、間違ってお金を引き落とし、使用者に面倒を掛けることを防止する。
【図面の簡単な説明】
【００１０】
本発明の実施例または従来技術における技術プランをもっとはっきり説明するために、以下は実施例または従来技術を説明する時に必要な付図を簡単に紹介する。一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の使い捨てマスクの販売装置の全体構成模式図である；
【図２】図２は図１の中のＡ−Ａの構成模式図である。
【図３】図３は図１の中のＢの拡大構成模式図である。
【図４】図４は図１の中のＣの拡大構成模式図である。
【図５】図５は図１の中のＤ−Ｄの構成模式図である。
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
以下に図１〜５を交えて本発明について詳しく説明する。便利に叙述するために、現在は後文に出る方位を下記の通りに規定する：後文に出る上下左右前後方向は図１本体の投影関係の上下左右前後方向と一致する。
【００１４】
図１〜５を参照し、本発明の使い捨てマスクの販売装置は、装置本体１０及び前記装置本体１０の中に設置される貯蔵チャンバ５２を含み、前記貯蔵チャンバ５２の中にはトレー４９がスライドできるように設けられ、前記トレー４９には複数の使い捨てマスク５１が置かれており、前記貯蔵チャンバ５２の底壁には、頂部に凹溝５５が設けられる密封ドア５０がヒンジにより接続され、前記貯蔵チャンバ５２の頂壁の中にはＵ形スライド溝５８が連通して設けられ、前記Ｕ形スライド溝５８の中にはＵ形スライダ５６が設けられ、前記Ｕ形スライダ５６と前記Ｕ形スライド溝５８の頂壁との間には第一押圧ばね５７が設けられ、前記貯蔵チャンバ５２の頂壁の中には伝動チャンバ１４が設けられ、前記伝動チャンバ１４の中には輸送装置２００が設けられ、前記貯蔵チャンバ５２の底壁の中には第一スライド孔４４が設けられ、前記第一スライド孔４４の中には前記トレー４９と固定的に接続されるラック４２が設けられ、前記ラック４２と前記第一スライド孔４４の端壁との間には第一復帰ばね４３が設けられ、前記第一スライド孔４４の右壁の中にはギヤチャンバ４５が設けられ、前記ギヤチャンバ４５の中には閉鎖装置３００が設けられ、前記装置本体１０の右壁の中にはマスク取りチャンバ２３が設けられ、前記マスク取りチャンバ２３と前記貯蔵チャンバ５２との間には連通孔５３が設けられ、前記マスク取りチャンバ２３の頂壁の中には回転チャンバ１９が設けられ、前記回転チャンバ１９の中には第一回転軸２２が回転できるように設けられ、前記第一回転軸２２の外面にはウォームホイール２１及び活動ドア２４が固定され、前記回転チャンバ１９の中には前記ウォームホイール２１と噛み合うウォーム２０が回転できるように設けられ、前記ウォーム２０が前記回転チャンバ１９の左壁の中に固定的に接続されるモータ１８と動力が伝達できるように接続され、前記マスク取りチャンバ２３の底壁の中には外部に連通するカード挿入チャンバ３２が設けられ、前記カード挿入チャンバ３２の中には引き落とし装置４００が設けられ、前記輸送装置２００と、前記閉鎖装置３００と、前記引き落とし装置４００とを合わせて使用してマスク販売を実現する。
【００１５】
有益的には、前記輸送装置２００は、前記伝動チャンバ１４の中に回転できるように設置される第二回転軸１２を含み、前記第二回転軸１２の外面には前後対称の摩擦輪５４及び前後二つの前記摩擦輪５４の間に位置する第一ベベルギヤ１１が固定的に装着され、前記伝動チャンバ１４と前記回転チャンバ１９との間にはラチェットギヤチャンバ６４が設けられ、前記ラチェットギヤチャンバ６４と前記伝動チャンバ１４との間には第三回転軸１５が回転できるように設けられ、前記伝動チャンバ１４の中の前記第三回転軸１５の末端には前記第一ベベルギヤ１１と噛み合う第二ベベルギヤ１３が固定され、前記ラチェットギヤチャンバ６４の中の前記第三回転軸１５の末端には第一ラチェット歯止め溝１６が固定的に装着され、前記モータ１８の出力軸が左へ前記ラチェットギヤチャンバ６４の中に伸びている末端には前記第一ラチェット歯止め溝１６と係合される第一ラチェットギヤ１７が固定的に装着され、前記摩擦輪５４が回転して前記マスクを設備の外に送り出す。
【００１６】
有益的には、前記閉鎖装置３００は、前記ギヤチャンバ４５の中に回転できるように設置される第四回転軸４８を含み、前記第四回転軸４８の外面には、前記ラック４２と噛み合うギヤ４６と、前記ギヤ４６の前側に位置する第一プーリ４７とが固定され、前記ギヤチャンバ４５の右壁内にはカムチャンバ３８が設けられ、前記カムチャンバ３８と前記ギヤチャンバ４５との間にはベルトチャンバ４１が連通して設けられ、前記カムチャンバ３８の後壁内には第五回転軸６０が回転できるように設けられ、前記第五回転軸６０と前記カムチャンバ３８の端壁との間には捻りばね５９が弾性的に設けられ、前記第五回転軸６０の外面には第二プーリ６５と、前記第二プーリ６５の前側に位置する第二ラチェットギヤ６１とが固定され、前記第二プーリ６５と前記第一プーリ４７との間がベルト４０により伝動できるように係合接続され、前記カムチャンバ３８の後壁の中には第六回転軸６３が回転できるように設けられ、前記第六回転軸６３の外面には、前記第二ラチェットギヤ６１と係合される第二ラチェット歯止め溝６２と、前記第二ラチェット歯止め溝６２の前側に位置するカム３９とが固定され、前記カムチャンバ３８と前記カード挿入チャンバ３２との間には第二スライド孔３６が連通して設けられ、前記第二スライド孔３６の中には阻み板３７がスライドできるように設けられ、前記阻み板３７と前記第二スライド孔３６の端壁との間には第二復帰ばね３５が弾性的に設けられ、前記カム３９が回転して前記阻み板３７を連動させて上へ移動させて前記カード挿入チャンバ３２を閉鎖する。
【００１７】
有益的には、前記引き落とし装置４００は前記カード挿入チャンバ３２の左壁の中に設置される第三スライド孔３０を含み、前記第三スライド孔３０の中には第一スライドロッド３４がスライドできるように設けられ、前記第一スライドロッド３４と前記第三スライド孔３０の端壁との間には第三復帰ばね６６が弾性的に設けられ、前記第一スライドロッド３４の頂壁内にはロック溝３１が設けられ、前記第三スライド孔３０と前記マスク取りチャンバ２３との間には第四スライド孔２６が連通して設けられ、前記第四スライド孔２６の中には、第二スライドロッド２５と、前記第二スライドロッド２５の下方に位置するロックロッド２９とがスライドできるように設けられ、前記ロックロッド２９と前記第二スライドロッド２５との間には第二押圧ばね２８が弾性的に設けられ、前記第二スライドロッド２５と前記第四スライド孔２６の端壁との間には第四復帰ばね２７が弾性的に設けられ、前記カード挿入チャンバ３２の頂壁内には識別モジュール３３が設けられ、前記識別モジュール３３が識別してお金を引き落とし、設備が費用を徴収することを実現する。
【００１８】
以下、出願人は付図１〜５及び上記の本出願の使い捨てマスクの販売装置の具体的な構成を参照してその使用方法を詳しく紹介する：
【００１９】
使用する時、プリペイドカードをカード挿入チャンバ３２の中に挿入し、第一スライドロッド３４を左へ移動させ、ロックロッド２９をロック溝３１の中に挿入し、これにより第一スライドロッド３４が引っ掛かり、識別モジュール３３がプリペイドカードを識別してお金を引き落とし、同時にモータ１８を触発して回転させ、これにより第一ラチェットギヤ１７と、第一ラチェット歯止め溝１６と、第二ベベルギヤ１３と、第一ベベルギヤ１１と、摩擦輪５４とを連動させて順に回転させ、使い捨てマスク５１をマスク取りチャンバ２３に入らせ、同時にモータ１８がウォーム２０を連動させて回転させ、ウォームホイール２１を連動させて回転させ、活動ドア２４を開け、活動ドア２４が開いた後、第二スライドロッド２５が上へ移動し、ロックロッド２９を上へ移動させてロック溝３１から出させ、この時、第一スライドロッド３４が第三復帰ばね６６の作用のもとで右へ移動してプリペイドカードを弾き出し、プリペイドカード及び使い捨てマスク５１を取り出すことに便利を与え、モータ１８を始動して逆方向へ回転させてウォーム２０を連動させて逆方向へ回転させ、これにより活動ドア２４を連動させて閉まらせ、これにより第二スライドロッド２５を押圧して下へ移動させ、マスクが売り切れになる時、トレー４９が上へ移動してＵ形スライダ５６と当接し、Ｕ形スライダ５６が凹溝５５から出され、密封ドア５０を開けることに便利を与え、ラック４２が上へ移動してギヤ４６を連動させて回転させ、これにより第一プーリ４７と、第二プーリ６５と、第二ラチェットギヤ６１とを連動させて回転させ、捻りばね５９を連動させて弾力を蓄え、第二ラチェットギヤ６１が正方向に回転する時に第二ラチェット歯止め溝６２を連動させて回転させることができなく、ラック４２が上へ移動してギヤ４６から離脱する時、捻りばね５９の弾性エネルギーが放出されて第二ラチェットギヤ６１を連動させて逆方向へ回転させ、第二ラチェット歯止め溝６２を連動させて回転させ、これによりカム３９を回転させ、これにより阻み板３７が上へ移動してカード挿入チャンバ３２を閉鎖し、この時、設備の中にマスクがないため、設備が使用を一時停止し、この時、マスクを補充し、これによりラック４２を下へ移動させてカム３９を連動させて復帰させ、カード挿入チャンバ３２を開け、マスクの販売に便利である。
【００２０】
上記の詳しい分析から分かることは：本発明の設備は操作が簡単で安全であり、マスクの販売を実現するとともに、マスクが売り切れになる時、カード挿入チャンバを閉鎖することができ、間違ってお金を引き落とし、使用者に面倒を掛けることを防止する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。